(57)【要約】【課題】回転摺動部分を設けずに、噴出方向を変化させながらの噴流噴出を実現できる噴流浴装置を提供する。【解決手段】加圧浴槽水を噴出方向を変化させながら浴槽の内部に噴出する噴流ノズルを備え、この噴流ノズルは、加圧浴槽水が導入される流水導入部と、流水導入部より下流側で流水導入部に連通し流水導入部に対して流路断面が縮小された流路断面収縮部と、流路断面収縮部より下流側で流路断面収縮部に連通し流路断面収縮部に対して流路断面が急拡大された流路断面急拡大部を上流側の端部に有するチャンバーとが内部に設けられ、浴槽壁に対して保持されるノズル本体と、ノズル本体に対して着脱自在に取り付けられチャンバーと連通すると共に浴槽の内部に臨む噴出口を有するノズルキャップと、噴出口の近傍で前記チャンバーに臨んで設けられ噴出口へと通じる流路の一部を遮る遮蔽体とを有する。【選択図】図１
2008136589.tif 000002
【特許請求の範囲】
【請求項１】
浴槽と、
前記浴槽の浴槽壁に開口され前記浴槽の内部に貯留された浴槽水を吸い込む吸入口と、
前記吸入口に連通した循環路と、
前記循環路の途中に設けられ、前記吸入口から吸い込んだ浴槽水を加圧して吐出する加圧装置と、
前記循環路を介して前記加圧装置から送られる加圧浴槽水を、噴出方向を変化させながら前記浴槽の内部に噴出する噴流ノズルと、
を備え、
前記噴流ノズルは、
前記加圧浴槽水が導入される流水導入部と、前記流水導入部より下流側で前記流水導入部に連通し、前記流水導入部に対して流路断面が縮小された流路断面収縮部と、前記流路断面収縮部より下流側で前記流路断面収縮部に連通し、前記流路断面収縮部に対して流路断面が急拡大された流路断面急拡大部を上流側の端部に有するチャンバーとが内部に設けられ、前記浴槽壁に対して保持されるノズル本体と、
前記ノズル本体に対して着脱自在に取り付けられ、前記チャンバーと連通すると共に前記浴槽の内部に臨む噴出口を有するノズルキャップと、
前記噴出口の近傍で前記チャンバーに臨んで設けられ、前記噴出口へと通じる流路の一部を遮る遮蔽体と、
を有することを特徴とする噴流浴装置。
【請求項２】
前記遮蔽体は、前記ノズルキャップに対して着脱自在に保持されたことを特徴とする請求項１記載の噴流浴装置。
【請求項３】
前記遮蔽体と前記ノズルキャップとが一体に成形されたことを特徴とする請求項１記載の噴流浴装置。
【発明の詳細な説明】
【技術分野】
【０００１】
本発明は、浴槽内に噴流を噴出させる噴流浴装置に関し、特にノズル中心軸まわりに旋回した噴流を噴出させる噴流浴装置に関する。
【背景技術】
【０００２】
従来、浴槽壁に噴流ノズルを設けて、そのノズルから噴流を浴槽内に噴出させるものがあるが、その多くは、まっすぐに噴流を噴出させるものであり、噴流が入浴者の体の一部に局所的にあたり、噴流により受ける刺激が単調で飽きやすく、多様なマッサージ感は得られ難かった。
【０００３】
特許文献１には、外形形状が略円形で内部に設けた噴流孔の噴流口が軸芯位置より偏心すると共にユニット噴流口カバー内に回転自在に収容配置されたノズル本体と、バスタブ内の水を所定圧力でノズル本体の噴流孔内に噴射するオリフィスとを備えたノズル装置が開示されている。バスタブ内の水は、オリフィスを介してノズル本体の噴流孔内に所定圧力で噴射され、空気と混合して気泡混合噴流となり、噴流孔の噴流口からバスタブ内にジェット噴流として噴射される。この時、ノズル本体の噴流口が軸芯位置に対して偏心した位置に設けられていることから、オリフィスからの噴流によってノズル本体が回転し、これにより、ジェット噴流の噴射方向が変化する回転噴流が得られる。
【０００４】
しかし、特許文献１では、ノズル本体を回転させることで回転噴流を生じさせる構成であるため、そのノズル本体を回転自在に支持するための構造が複雑になり、安価に作製できない。さらには、回転摺動部分の摩耗やゴミ詰まりなどによる回転性能の低下が懸念される。
【特許文献１】特開２００１−８９９８号公報
【発明の開示】
【発明が解決しようとする課題】
【０００５】
本発明は、回転摺動部分を設けずに、噴出方向を変化させながらの噴流噴出を実現できる噴流浴装置を提供する。
【課題を解決するための手段】
【０００６】
本発明の一態様によれば、浴槽と、前記浴槽の浴槽壁に開口され前記浴槽の内部に貯留された浴槽水を吸い込む吸入口と、前記吸入口に連通した循環路と、前記循環路の途中に設けられ、前記吸入口から吸い込んだ浴槽水を加圧して吐出する加圧装置と、前記循環路を介して前記加圧装置から送られる加圧浴槽水を、噴出方向を変化させながら前記浴槽の内部に噴出する噴流ノズルと、を備え、前記噴流ノズルは、前記加圧浴槽水が導入される流水導入部と、前記流水導入部より下流側で前記流水導入部に連通し、前記流水導入部に対して流路断面が縮小された流路断面収縮部と、前記流路断面収縮部より下流側で前記流路断面収縮部に連通し、前記流路断面収縮部に対して流路断面が急拡大された流路断面急拡大部を上流側の端部に有するチャンバーとが内部に設けられ、前記浴槽壁に対して保持されるノズル本体と、前記ノズル本体に対して着脱自在に取り付けられ、前記チャンバーと連通すると共に前記浴槽の内部に臨む噴出口を有するノズルキャップと、前記噴出口の近傍で前記チャンバーに臨んで設けられ、前記噴出口へと通じる流路の一部を遮る遮蔽体と、を有することを特徴とする噴流浴装置が提供される。
【発明の効果】
【０００７】
本発明によれば、回転摺動部分を設けずに、噴出方向を変化させながらの噴流噴出を実現できる噴流浴装置が提供される。
【発明を実施するための最良の形態】
【０００８】
以下、図面を参照し、本発明の実施形態について説明する。
【０００９】
図３は、本発明の実施形態に係る噴流浴装置の概略構成を表す模式図である。  
図４は、同噴流浴装置において浴槽を側面方向から見た模式図である。
【００１０】
本実施形態に係る噴流浴装置は、浴槽１と、浴槽１の浴槽壁３ｂに開口された吸入口５と、吸入口５に連通した循環路１３、１４と、循環路１３、１４の途中に設けられた加圧装置であるポンプ７と、浴槽壁４ａに対して保持された噴流ノズル１１とを備える。
【００１１】
浴槽１は、図３に表すように、略平行に相対向する一対の長辺側浴槽壁３ａ、３ｂと、略平行に相対向する一対の短辺側浴槽壁４ａ、４ｂとを有する。
【００１２】
吸入口５は長辺側浴槽壁３ｂに形成されている。ポンプ７が駆動されると、浴槽１の内部に貯留された浴槽水（湯も含む）は吸入口５を介して循環路１３へと吸い込まれる。
【００１３】
一般に、入浴者は、一方の短辺側浴槽壁（図３に表す具体例では短辺側浴槽壁４ａ）に背をもたれかけて、他方の短辺側浴槽壁（図３に表す具体例では短辺側浴槽壁４ｂ）に足を向けた姿勢で入浴するため、吸入口５を短辺側浴槽壁に形成した場合には、入浴者の背中や足裏で吸入口５がふさがれポンプ７に過剰の負荷がかかることが懸念される。したがって、吸入口５は、入浴者の身体の一部等によってふさがれにくい長辺側浴槽壁に形成するのが望ましい。なお、図３に表す具体例では、吸入口５を、長辺側浴槽壁３ｂに形成したが長辺側浴槽壁３ａに形成してもよい。
【００１４】
循環路１３の一端は吸入口５に接続され、他端はポンプ７の吸入口に接続されている。循環路１４の一端はポンプ７の吐出口に接続され、他端は噴流ノズル１１の流水導入口に接続されている。ポンプ７は、吸入口５から循環路１３内に浴槽水を吸い込むと共に、その吸い込んだ浴槽水を加圧してポンプ７の下流側の循環路１４に吐出する。このポンプ７から吐出された加圧浴槽水は、噴流ノズル１１の流水導入口に流入する。使用していないときに、ポンプ７内部の残留水を抜くために、ポンプ７は噴流ノズル１１よりも上方に設けることが望ましい。
【００１５】
本具体例では、図３に表すように、一方の短辺側浴槽壁４ａに、２つの噴流ノズル１１を取り付けている。２つの噴流ノズル１１は、略同じ高さに所定距離間して設けられている。噴流ノズル１１が取り付けられた一方の短辺側浴槽壁４ａの反対側の他方の短辺側浴槽壁４ｂの上方には浴槽側水栓が設けられ、またその他方の短辺側浴槽壁４ｂ近傍の浴槽底部には排水口が設けられる。したがって、通常、入浴者は自然と噴流ノズル１１が設けられた側の短辺側浴槽壁４ａに背中を向けた姿勢で入浴する。
【００１６】
図１は、噴流ノズル１１の模式断面図である。
【００１７】
噴流ノズル１１は、一端（上流端）に、循環路１４と連通される流水導入口２１が設けられた筒状のノズル本体４０を備える。
【００１８】
ノズル本体４０において、他端側（下流側）の外周面のまわりには、フランジ状に径方向に出っ張った取付部４２が一体に設けられている。その取付部４２の一端（下流端）における径内方部分には、段付き孔４３が形成されている。段付き孔４３における環状の底面４４の下流側に形成された環状面４５のまわりには、その環状面４５から径外方に張り出したフランジ部４６が設けられている。
【００１９】
ノズル本体４０は、フランジ付き取付部材７０を介して、短辺側浴槽壁４ａに対して保持される。フランジ付き取付部材７０は、筒部７０ｂと、この筒部７０ｂの一端に一体に設けられたフランジ部７０ａとを有する。フランジ付き取付部材７０は、その中空孔を、短辺側浴槽壁４ａに形成された開口に対向させて短辺側浴槽壁４ａの外側に取り付けられる。フランジ付き取付部材７０のフランジ部７０ａと、短辺側浴槽壁４ａの外壁面との間にはシールリング７１が介在される。
【００２０】
ノズル本体４０の取付部４２の外周面が、フランジ付き取付部材７０の筒部７０ｂ内周面に螺着されることで、ノズル本体４０は短辺側浴槽壁４ａに対して保持される。ノズル本体４０の取付部４２の下流端は、短辺側浴槽壁４ａに形成された開口を通じて浴槽内部に臨み、ノズル本体４０のフランジ部４６が短辺側浴槽壁４ａの内壁面に対向している。そのフランジ部４６と、短辺側浴槽壁４ａの内壁面との間にはシールリング７２が介在される。
【００２１】
ノズル本体４０の段付き孔４３には、遮蔽体２７及びノズルキャップ６０が、ノズル本体４０に対して着脱自在に取り付けられる。
【００２２】
ノズル本体４０の上流端に設けられた流水導入口２１は、浴槽１の外部で、循環路１４に接続されている。流水導入口２１と、ノズルキャップ６０の下流端に形成された噴出口２６との間のノズル本体４０内部には、上流側（流水導入口２１側）から順に、流水導入部２２、流路断面収縮部２３、チャンバー２５が設けられている。
【００２３】
流水導入部２２は、流水導入口２１と流路断面収縮部２３との間に設けられ、その流路断面は流水導入口２１から流路断面収縮部２３に向かうにしたがって徐々に狭められている。流路断面収縮部２３は、ノズル本体４０の軸中心に位置し、流水導入口２１及び流水導入部２２に対して流路断面が縮小されている。
【００２４】
流路断面収縮部２３の下流側には、流路断面収縮部２３に対して流路断面が急拡大（例えば３倍以上急拡大された）された流路断面急拡大部２４を一端部（上流側端部）に有するチャンバー２５が設けられている。チャンバー２５は、流路断面急拡大部２４の内径寸法のまま段付き孔４３形成部まで続いている。チャンバー２５の内壁面は、ノズル本体４０の軸中心Ｃに対して略平行に延在している。
【００２５】
段付き孔４３の底部（上流側端部）には、噴出口２６へと通じるチャンバー２５内流路の一部を遮る遮蔽体２７及びその支持体５０が設けられている。
【００２６】
図２（ａ）は、遮蔽体２７及び支持体５０の断面図であり、図２（ｂ）は図２（ａ）におけるＡ−Ａ断面図である。
【００２７】
遮蔽体２７は円盤状に形成され、支持体５０は遮蔽体２７の外周面を囲むようにリング状に形成されている。遮蔽体２７は、支持体５０の内周壁との間に放射状に設けられた例えば３本の棒状の支持部３１を介して支持体５０に対して支持されている。３本の支持部３１は、遮蔽体２７の外周面のまわりに周方向に沿って等間隔で設けられている。
【００２８】
支持体５０は、その一方の端面を、図１に表すように、段付き孔４３の環状の底面４４に当接させて段付き孔４３に嵌め込まれる。この状態で、遮蔽体２７は、その中心をノズル本体４０の軸中心Ｃに一致させてチャンバー２５内部に臨む。
【００２９】
遮蔽体２７は、チャンバー２５内流路のすべてを遮蔽しておらず、遮蔽体２７とチャンバー２５内壁面との間には、チャンバー２５から噴出口２６への流水の流れを許容する流路２５ａが確保される。
【００３０】
遮蔽体２７は、流水導入口２１から導入されチャンバー２５を経て噴出口２６へと流れる加圧浴槽水の圧力（動圧）を受けるため、支持部３１が１本だけであると前記圧力に耐え得る十分な強度が得られず遮蔽体２７が外れてしまう可能性があり、支持部３１が２本だけであると、遮蔽体２７表面に作用する前記圧力が軸中心Ｃに対して非軸対称分布になることにより生じる支持部周りのモーメントの影響を受け、遮蔽体２７が回転してしまう可能性がある。したがって、支持部３１は、３本以上設けるのが望ましい。
【００３１】
段付き孔４３において遮蔽体２７よりも下流側には、ノズルキャップ６０がねじ込まれる。ノズルキャップ６０は、一端側に噴出口２６が形成された円筒状を呈し、噴出口２６の径外方にはフランジ部５１が一体に設けられている。ノズルキャップ６０は、他端（上流端）を遮蔽体２７の支持体５０の下流側端面に当接させて、外周面が段付き孔４３に螺着される。ノズルキャップ６０の中空部は、チャンバー２５の一部を構成し、遮蔽体２７は、噴出口２６近傍のチャンバー２５内に設けられ、噴出口２６へと通じるチャンバー２５内流路の一部を遮る。ノズルキャップ６０のフランジ部５１は、段付き孔４３の下流側に形成された環状面４５に当接する。遮蔽体２７の支持体５０は、段付き孔４３の底面４４と、ノズルキャップ６０との間に挟み込まれることで、遮蔽体２７は、チャンバー２５内に保持される。噴出口２６は浴槽１の内部に臨み、他方の短辺側浴槽壁４ｂに向いている。噴出口２６の内周縁部には、ノズル本体４０の軸中心Ｃに向かうように傾斜した傾斜面２８が形成されている。
【００３２】
次に、本発明の実施形態に係る噴流浴装置の作用について説明する。
【００３３】
浴槽１近傍に設けられた図示しないコントローラのスイッチを入浴者が操作すると、ポンプ７が起動し、浴槽１内に貯留された浴槽水が吸入口５から循環路１３内へと吸入される。この吸入された浴槽水は、ポンプ７にて加圧されて、循環路１４を介して、噴流ノズル１１の流水導入口２１に導入される。噴流ノズル１１内に導入された加圧浴槽水は、以下に説明するように、噴出方向を不規則に変化させた旋回噴流として浴槽１内に噴出される。
【００３４】
図５（ａ）〜（ｄ）は、噴流ノズル１１にて旋回噴流が形成される様子を説明するための模式図である。
【００３５】
流水導入口２１から導入された加圧浴槽水は、流水導入部２２、流路断面収縮部２３および流路断面急拡大部２４を順に経てチャンバー２５内に噴流となって流入する。加圧浴槽水が、流路断面収縮部２３からチャンバー２５内に流入する際、流路断面の急拡大により、ノズル本体４０内壁面に沿って流れることができなくなり、すなわち流路内壁面に対して流れの剥離が生じる。
【００３６】
一般的に、噴流は、外部流体との運動量交換により外部流体を加速し、噴流内部に巻き込む。このとき、噴流近傍に壁面が存在すると、外部流体を内部に引き込むように作用する引きつけ力の反作用により、噴流自身が壁面に向かって曲げられ、再び流れが壁面に沿うようになる。つまり、チャンバー２５の内壁面の周方向の一部に流れが再付着する。
【００３７】
チャンバー２５の内壁面に付着した主流は、そのままチャンバー２５内壁面に沿い、遮蔽体２７の外周面とチャンバー２５内壁面との間を噴出口２６に向かって流れ、噴出口２６の手前（上流側）でノズル本体４０の軸中心Ｃに向かうように傾斜して形成された傾斜面２８に沿って軸中心Ｃに対して傾斜した噴流として噴出口２６から浴槽１内に噴出する。
【００３８】
以上のようにして、噴流ノズル１１内に、主流（図５（ａ）において太線矢印ａで表す）が形成される。
【００３９】
流路断面収縮部２３に比べて噴出口２６の流路断面が大きく、流れは下流に向かって減速、すなわち、チャンバー２５内部では下流に向かって静圧が増加する逆圧力勾配が形成されること、さらにチャンバー２５内に流路の一部を遮るように遮蔽体２７が設けられていることによって、前述した主流の一部は、噴出口２６から噴出されず、図５（ｂ）において矢印ｂで表すように、チャンバー２５の上流側に戻される。
【００４０】
その上流側に戻された流れが、図５（ｃ）に表すように、流路断面急拡大部２４付近にて主流が剥離したよどみ領域に流れ込むことで、図５（ｄ）に表すように、流路断面急拡大部２４付近で中心軸Ｃまわりに旋回流が形成され、これにより、主流の内壁面に対する再付着位置が周方向で不規則に変化し、噴出口２６からは中心軸Ｃまわりに不規則に旋回した噴流が噴出される。
【００４１】
入浴者は、噴流ノズル１１から噴出される旋回噴流を、腰、背、肩、手、足等の身体の一部に受けることにより、マッサージ効果を得ることができる。噴流ノズル１１から噴出される噴流は、細く強い直線的な噴流ではなく、太くやわらかい旋回噴流であるため、腰を包み込む、背中、腰全体を押すようにもみほぐすなど、局所的に強い刺激感ではなく、広範囲をもみほぐすような手もみに近いマッサージ感を得ることができ、長時間入浴していても飽きがなくゆったりとリラックスできる。また、直線的な強い噴流を局所的に受ける場合には、所望の部位にその噴流を受けるべく姿勢を保つために緊張状態になりがちであったが、本実施形態の旋回噴流は広範囲にわたってやわらかい刺激を与えるため、入浴者に緊張を強いることなく、力を抜いたリラックスした状態にさせやすい。
【００４２】
本実施形態に係る噴流ノズル１１から噴出される噴流は旋回しているので、気泡が混入されなくても、マッサージ感を受けるのに十分な刺激感が得られる。気泡を混入しない分、噴流の噴出音及び気泡混入時の音を低減して、静かな環境でよりリラックスできる。もちろん、本実施形態に係る旋回噴流に気泡を混入してもよく、その場合、気泡を混入しない場合よりも噴流の旋回力が弱まり、よりやわらかな刺激感を受けることが可能である。さらには、気泡混入有無の切り替え、もしくは気泡混入量の調整により多彩な刺激感を実現することが可能である。
【００４３】
また、本実施形態に係る噴流ノズル１１は、噴流ノズル１１内に導入された流体自身が、前述したようにチャンバー２５内での還流作用によって、噴出口２６から噴出される噴流の旋回を励起する構成となっているため、特許文献１のような回転摺動部分が不要であり、ノズル構造が単純化され、安価に作製することができ、またメンテナンスも容易になる。さらには、回転摺動部分における摩耗やゴミ詰まりなどによる旋回性能低下の心配もない。
【００４４】
前述したように、チャンバー２５内静圧は、浴槽１内に貯留された浴槽水の静圧より低く、チャンバー２５内部では下流側に向かって静圧が増加する逆圧力勾配が形成されるため、遮蔽体２７を設けなくても、主流の一部をチャンバー２５上流側に戻す還流を形成することは可能である。ただし、遮蔽体２７を設けた方が、逆静圧勾配（流れ方向に対して静圧が上昇）による還流形成に比べ、より安定した（確実性の増した）還流が形成されることから、噴流の旋回が安定する。
【００４５】
噴出口２６の手前（上流側）に傾斜面２８を設けなくても、上述したように主流がチャンバー２５内壁の周方向の一部に偏ることから偏向した噴流が実現されるが、傾斜面２８を設け、その傾斜面２８に主流を沿わせることで、主流の偏向を促進することができ、より広範囲にわたるやわらかな旋回噴流を形成しやすくなる。
【００４６】
また、流水導入部２２の流路断面を、流水導入口２１から流路断面収縮部２３に向けて徐々に狭めることで、噴流ノズル１１内での圧力損失が小さくなり、噴出に際して大きな圧力を与えなくて済む。すなわち、ポンプ７を大きなものにしなくて済み、設置スペース及びコスト低減が図れる。
【００４７】
噴出口２６の近傍で、ノズル内流路の大部分を遮蔽する遮蔽体２７は、チャンバー２５内を清掃する際に邪魔になる。しかし、本実施形態では、遮蔽体２７を支持する支持体５０を、ノズル本体４０とノズルキャップ６０との間で挟み込むことで遮蔽体２７を保持する構造としており、ノズル本体４０に対して螺着されているノズルキャップ６０をまわしてノズル本体４０からノズルキャップ６０を取り外すことで、遮蔽体２７をノズル本体４０から取り外すことができ、チャンバー２５内の清掃性が向上する。これにより、チャンバー２５内における湯水の垢などの汚れや細菌を除去することができ、清潔な噴流を浴槽内に噴出させることができる。
【００４８】
以下、本発明の実施形態に係る噴流ノズルの他の具体例について説明する。なお、前述した噴流ノズル１１と同じ構成部分には同じ符号を付し、その詳細な説明は省略する。
【００４９】
図６は、噴流ノズルの第２の具体例を表す模式断面図である。  
図７（ａ）は、第２の具体例の噴流ノズルにおけるノズルキャップ７３の断面図であり、図７（ｂ）は図７（ａ）におけるＢ−Ｂ断面図である。  
図８は、第２の具体例の噴流ノズルにおける遮蔽体２７及びその支持体７１の断面図である。
【００５０】
遮蔽体２７は円盤状に形成され、その支持体７１は遮蔽体２７の外周面を囲むようにリング状に形成されている。支持体７１の外周面には、周方向に等間隔で設けられ、径外方に突出した３つの突起部７２が設けられている。
【００５１】
本具体例では、遮蔽体２７はその支持体７１と共にノズルキャップ７３に保持された状態で、ノズルキャップ７３ごとノズル本体４０に対して取り付け、または取り外し可能となっている。
【００５２】
ノズルキャップ７３は、一端側に噴出口２６が形成された円筒状を呈し、噴出口２６の径外方にはフランジ部７７が一体に設けられている。
【００５３】
図７（ａ）、（ｂ）に表すように、ノズルキャップ７３の筒部３２における噴出口２６側の内壁面には、環状の溝７９が形成され、筒部３２の上流側端部には、溝７９に連通する３つの切り欠き孔７４が周方向に等間隔に形成されている。
【００５４】
遮蔽体２７の支持部７１の外周面に設けられた突起部７２を、ノズルキャップ７３の切り欠き孔７４に一致させてその切り欠き孔７４から突起部７２を溝７９内に嵌め入れて、支持体７１を回転させることで突起部７２が溝７９内で保持され、これにより、図６に表すように、遮蔽体２７及びその支持体７１が、ノズルキャップ７３の筒部３２内に保持される。
【００５５】
ノズルキャップ７３は、その筒部３２外周面が、ノズル本体４０の下流側端部に形成された段付き孔７５に螺着されることで、ノズル本体４０に対して取り付けられる。遮蔽体２７は、噴出口２６近傍のチャンバー２５内に臨み、噴出口２６へと通じるチャンバー２５内流路の一部を遮る。ノズルキャップ７３のフランジ部７７は、段付き孔７５の下流側に形成された環状面７６に当接する。遮蔽体２７の支持体７１は、チャンバー壁端面７８と、ノズルキャップ７３との間に挟み込まれ、遮蔽体２７はチャンバー２５内に保持される。
【００５６】
本具体例によれば、予め遮蔽体２７をノズルキャップ７３に対して保持させた上で、遮蔽体２７をノズルキャップ７３ごとノズル本体４０に対して取り付けることができるので、遮蔽体２７とノズルキャップ７３とを別々にノズル本体４０に対して取り付ける場合よりも手間がかからない。また、ノズル本体４０に対して螺着されているノズルキャップ７３をまわしてノズル本体４０からノズルキャップ７３を取り外すことで、そのノズルキャップ７３と一緒に遮蔽体２７もノズル本体４０から取り外すことができるので、取り外しに要する手間も少なくできる。支持体７１をノズルキャップ７３に対して回転させて突起部７２を切り欠き孔７４に一致させ、その切り欠き孔７４から突起部７２を噴出口２６とは反対側に抜くことで、遮蔽体２７及びその支持体７１を、ノズルキャップ７３から取り外すことができる。
【００５７】
図９は、噴流ノズルの第３の具体例を表す模式断面図である。  
図１０は、第３の具体例の噴流ノズルにおけるノズルキャップ８３及び遮蔽体２７を、上流側の端面側から見た模式図である。
【００５８】
遮蔽体２７は、ノズルキャップ８３の筒部３３の内周壁との間に放射状に設けられた例えば３本の棒状の支持部３１を介してノズルキャップ８３に対して保持されている。遮蔽体２７、支持部３１及びノズルキャップ８３は一体に成形されている。
【００５９】
ノズルキャップ８３は、一端側に噴出口２６が形成された円筒状を呈し、噴出口２６の径外方にはフランジ部８７が一体に設けられている。
【００６０】
ノズルキャップ８３は、その筒部３３外周面が、ノズル本体４０の下流側端部に形成された段付き孔７５に螺着されることで、ノズル本体４０に対して取り付けられる。遮蔽体２７は、噴出口２６近傍のチャンバー２５内に臨み、噴出口２６へと通じるチャンバー２５内流路の一部を遮る。ノズルキャップ８３のフランジ部８７は、段付き孔７５の下流側に形成された環状面７６に当接する。
【００６１】
本具体例においても、遮蔽体２７をノズルキャップ８３ごとノズル本体４０に対して取り付けることができるので、遮蔽体２７とノズルキャップ８３とを別々にノズル本体４０に対して取り付ける場合よりも手間がかからない。また、ノズル本体４０に対して螺着されているノズルキャップ８３をまわしてノズル本体４０からノズルキャップ８３を取り外すことで、そのノズルキャップ８３と一体な遮蔽体２７もノズル本体４０から取り外すことができるので、取り外しに要する手間も少なくできる。ノズルキャップ８３と遮蔽体２７とを一体に成形することで、安価に作製できる。
【００６２】
図１１は、噴流ノズルの第４の具体例を表す模式断面図である。  
図１２（ａ）は、第４の具体例の噴流ノズルにおけるノズルキャップ９０及びこれに一体に設けられた遮蔽体２７の断面図であり、図１２（ｂ）は図１２（ａ）におけるＣ−Ｃ断面図である。
【００６３】
ノズルキャップ９０は、一端側に噴出口２６が形成された円筒状を呈し、噴出口２６の径外方にはフランジ部９１が一体に設けられている。
【００６４】
ノズルキャップ９０の筒部３３の外周面には、周方向に等間隔で設けられ、径外方に突出した３つの突起部９５が設けられている。
【００６５】
ノズル本体４０の下流側端部に設けられた段付き孔４３の内周面には、環状の溝が形成され、その上流側には、その溝に連通する例えば３つの切り欠き孔９２が周方向に等間隔に形成されている。
【００６６】
ノズルキャップ９０の筒部３３の外周面に設けられた突起部９５を、段付き孔４３の内周面に形成された切り欠き孔９２に一致させてその切り欠き孔９２から突起部９５を上記溝内に嵌め入れて、ノズルキャップ９０を回転させることで突起部９５が溝内で保持され、これにより、遮蔽体２７及びノズルキャップ９０がノズル本体４０に対して保持される。ノズルキャップ９０の筒部３３の先端面（上流側端面）は、段付き孔４３の環状の底面４４に当接し、ノズルキャップ９０のフランジ部９１は、段付き孔４３の下流側に形成された環状面４５に当接する。
【００６７】
本具体例においても、遮蔽体２７をノズルキャップ９０ごとノズル本体４０に対して取り付け、または取り外すことができるので、遮蔽体２７とノズルキャップ９０とを別々にノズル本体４０に対して取り付けたり、取り外したりする場合よりも手間がかからない。また、ノズルキャップ９０と遮蔽体２７とを一体に成形することで、安価に作製できる。
【００６８】
図１３は、噴流ノズルの第５の具体例を表す模式断面図である。  
図１４は、第５の具体例の噴流ノズルにおいて、ノズル本体４０の下流側端部の径外方側に設けられたフランジ部４６を浴槽側から見た模式図である。
【００６９】
噴出口２６の径外方側に設けられ、浴槽内に臨んでいるノズル本体４０のフランジ部４６は、噴出口２６よりも浴槽内部に出っ張っているため、入浴者が短辺側浴槽壁４ａに背をもたれても、その入浴者の背中がフランジ部４６に接触し、入浴者の背中と噴出口２６との間に隙間が確保され、噴出口２６が入浴者の背中によって塞がれにくい。
【００７０】
そして、本具体例のように、フランジ部４６に、例えば球面状の突起１０５を、周方向に沿って間欠的に設ければ、突起１０５が出っ張っている分、フランジ部４６が入浴者の背中で完全に密着されることがなく、噴出口２６から噴出された噴流を突起１０５間の隙間を介して浴槽内に噴出させることができる。
【００７１】
図１５は、噴流ノズルの第６の具体例を表す模式断面図である。  
図１６は、第６の具体例の噴流ノズルにおいて、ノズル本体４０の下流側端部の径外方側に設けられたフランジ部４６を浴槽側から見た模式図である。
【００７２】
本具体例では、フランジ部４６に、放射状の溝１０７を周方向に沿って間欠的に設けたため、フランジ部４６が入浴者の背中で完全に密着されることがなく、噴出口２６から噴出された噴流を溝１０７を介して浴槽内に噴出させることができる。
【図面の簡単な説明】
【００７３】
【図１】本発明の実施形態に係る噴流浴装置における噴流ノズルの模式断面図である。
【図２】（ａ）は、図１に表す噴流ノズルの遮蔽体及び支持体の断面図であり、（ｂ）は図２（ａ）におけるＡ−Ａ断面図である。
【図３】本発明の実施形態に係る噴流浴装置の概略構成を表す模式図である。
【図４】同噴流浴装置において浴槽を側面方向から見た模式図である。
【図５】本発明の実施形態に係る噴流浴装置における噴流ノズルにて旋回噴流が形成される様子を説明するための模式図である。
【図６】本発明の実施形態に係る噴流浴装置において、噴流ノズルの第２の具体例を表す模式断面図である。
【図７】（ａ）は、第２の具体例の噴流ノズルにおけるノズルキャップの断面図であり、（ｂ）は図７（ａ）におけるＢ−Ｂ断面図である。
【図８】第２の具体例の噴流ノズルにおける遮蔽体及びその支持体の断面図である。
【図９】本発明の実施形態に係る噴流浴装置において、噴流ノズルの第３の具体例を表す模式断面図である。
【図１０】第３の具体例の噴流ノズルにおけるノズルキャップ及び遮蔽体を、上流側の端面側から見た模式図である。
【図１１】本発明の実施形態に係る噴流浴装置において、噴流ノズルの第４の具体例を表す模式断面図である。
【図１２】（ａ）は、第４の具体例の噴流ノズルにおけるノズルキャップ及びこれに一体に設けられた遮蔽体の断面図であり、（ｂ）は図１２（ａ）におけるＣ−Ｃ断面図である。
【図１３】本発明の実施形態に係る噴流浴装置において、噴流ノズルの第５の具体例を表す模式断面図である。
【図１４】第５の具体例の噴流ノズルにおいて、ノズル本体の下流側端部の径外方側に設けられたフランジ部を浴槽側から見た模式図である。
【図１５】本発明の実施形態に係る噴流浴装置において、噴流ノズルの第６の具体例を表す模式断面図である。
【図１６】第６の具体例の噴流ノズルにおいて、ノズル本体の下流側端部の径外方側に設けられたフランジ部を浴槽側から見た模式図である。
【符号の説明】
【００７４】
１…浴槽、５…吸入口、１１…噴流ノズル、２２…流水導入部、２３…流路断面収縮部、２４…流路断面急拡大部、２５…チャンバー、２６…噴出口、２７…遮蔽体、４０…ノズル本体、６０…ノズルキャップ
【図１】
2008136589.tif 000003
【図２】
2008136589.tif 000004
【図３】
2008136589.tif 000005
【図４】
2008136589.tif 000006
【図５】
2008136589.tif 000007
【図６】
2008136589.tif 000008
【図７】
2008136589.tif 000009
【図８】
2008136589.tif 000010
【図９】
2008136589.tif 000011
【図１０】
2008136589.tif 000012
【図１１】
2008136589.tif 000013
【図１２】
2008136589.tif 000014
【図１３】
2008136589.tif 000015
【図１４】
2008136589.tif 000016
【図１５】
2008136589.tif 000017
【図１６】
2008136589.tif 000018